(57)【特許請求の範囲】
【請求項１】
その巻線（Ｕ、Ｖ、Ｗ）が、６個のスイッチ（１１、１２、１３、１４、１５、１６）の支援と、欠陥のあるスイッチ（１１、１２、１３、１４、１５、１６）を識別するために設けられている識別ユニット（Ａ）と、インバータ（２）のアウトプット（１７、１８、１９）で電圧測定に提供されているユニット（Ｂ）と、スイッチ（１１、１２、１３、１４、１５、１６）をコントロールするために設けられているマイクロコントローラ（Ｃ）とを備えたインバータ（２）によって駆動され、 
欠陥（Ｆ１、Ｆ２、Ｆ３）によって影響される巻線（Ｕ、Ｖ、Ｗ）が追跡され、さらにスイッチ（１３、１６）の欠陥（Ｆ１、Ｆ２、Ｆ３）の性質は、欠陥のあるスイッチ（１１、１２、１４、１５）と関連しない巻線（Ｖ、Ｗ）を駆動するために異なる電圧（ＰＷＭ１、ＰＷＭ２）を使用することにより決定され、その間、電圧測定が、欠陥のあるスイッチ（１３、１６）と関連する巻線（Ｕ）において実行されることを特徴とするブラシレス電気モータ（１）を作動する方法。
【請求項２】
前記欠陥のあるスイッチ（１３、１６）と関連する巻線（Ｕ）が、電圧測定用のユニット（Ｂ）に接続されることを特徴とする、請求項１記載の方法。
【請求項３】
前記欠陥（Ｆ１、Ｆ２、Ｆ３）の性質が、開放、または閉塞されたスイッチ位置にブロックされるスイッチ（１１、１２、１３、１４、１５、１６）であることを特徴とする、請求項１または２記載の方法。
【請求項４】
次のステップを有することを特徴とする請求項１−３のうちの１項記載の方法：
−  識別ユニット（Ａ）による欠陥のあるスイッチ（１３、１６）の識別；
−  すべてのスイッチ（１１、１２、１３、１４、１５、１６）の開放；
−  関連しない巻線（Ｖ、Ｗ）の駆動、異なる電圧（ＰＷＭ１、ＰＷＭ２）を備えた欠陥のあるスイッチ（１３、１６）、および、  
−  欠陥のあるスイッチ（１３、１６）に関連する巻線（Ｕ）に印加される電圧の測定および評価。
【請求項５】
欠陥のあるスイッチ（１３、１６）と関連しない巻線（Ｖ）は、それにパルス幅変調された電圧（ＰＷＭ１）を印加し、それは１／３＝３３％のデューティレシオを有し、一方、欠陥のあるスイッチ（１３、１６）と同様に関連しない２／３＝６６％のデューティレシオを有する他の巻線（Ｗ）であって、それにパルス幅変調された電圧（ＰＷＭ２）を印加することを特徴とする、請求項４記載の方法。
【請求項６】
前記スイッチ（１３、１６）は、欠陥のあるスイッチ（１３、１６）と関連する巻線（Ｕ）におけるパルス幅変調された電圧の測定結果（ＰＷＭmeas）が、３３％と６６％との間のデューティレシオを示す場合には、開スイッチ位置を欠いていると識別されることを特徴とする請求項５記載の方法。
【請求項７】
前記スイッチ（１３、１６）は、欠陥のあるスイッチ（１３、１６）と関連する巻線（Ｕ）におけるパルス幅変調された電圧の測定結果（ＰＷＭmeas）が、１００％のデューティレシオを示す場合には、正の電源電圧に対する接続を備えた閉じたスイッチ位置を欠いていると識別されることを特徴とする、請求項５、または６記載の方法。
【請求項８】
前記スイッチ（１３、１６）は、欠陥のあるスイッチ（１３、１６）関連しない巻線（Ｕ）におけるパルス幅変調された電圧の測定結果（ＰＷＭmeas）が、０％のデューティレシオを示す場合には、負の電源電圧に対する接続を備えた閉じたスイッチ位置を欠いていると識別されることを特徴とする請求項５または６記載の方法。
【請求項９】
前記方法ステップは、駆動されている異なる巻線（Ｕ、Ｖ、Ｗ）によって、前記欠陥（Ｆ１、Ｆ２、Ｆ３）が追跡され、または、複数の欠陥が識別されて、複数のスイッチ（１１、１２、１３、１４、１５、１６）が不完全であるまで、繰り返されることを特徴とする請求項４−８のうちの１項記載の方法。
【請求項１０】
欠陥のあるスイッチ（１１、１２、１３、１４、１５、１６）が、スイッチが入れられる状態でブロックされる状況の安定した熱的の過負荷によって欠陥のあるスイッチ（１１、１２、１３、１４、１５、１６）が開放されることを特徴とする請求項１−９のうちの１項記載の方法。
【請求項１１】
欠陥のあるスイッチ（１１、１２、１３、１４、１５、１６）が、閉じたスイッチ位置においてブロックされる場合に、ヒューズが飛ぶことを特徴とする請求項１〜４のうちの１項記載の方法。
【請求項１２】
前記電気モータ（１）のスイッチが切られるか、または、その電気モータ（１）が非常モードにおいて作動されることを特徴とする、請求項１〜４のうちの１項記載の方法。
【発明の詳細な説明】
【技術分野】
【０００１】
この発明は、６個のスイッチの援助を有し、欠陥のある（defective）スイッチを識別するために設けられている識別ユニットを有し、インバータの出力での電圧測定用に設けられているユニットを有し、さらには、そのスイッチをコントロールするために設けられているマイクロコントローラを有するインバータによって、その巻線が駆動されるブラシレスモータを作動する方法に関する。
【背景技術】
【０００２】
一般に、ブラシレスモータを駆動するためのインバータは、６個のスイッチを有する。
【０００３】
欠陥のあるそれぞれのスイッチは、原則として、２つの異なる特性（characteristics）を有することができる：スイッチが切られ、すなわち開スイッチに位置においてブロックされ、または、スイッチが入れられ、すなわち閉スイッチ位置においてブロックされる。スイッチが入れられた欠陥のあるスイッチも、この技術においては短絡と呼ばれる。特に、安全性関連用途においては、そのときに重要であることは、非常モードにおいて電気モータを作動し続けるか、または直ちにそれのスイッチを切るために、何のタイプの欠陥が存在するかを非常に迅速に決定することである。
【０００４】
しばしば、電流センサが、個々のモータ位相における電流、または総電流が測定できる手段によって、使用される。電流センサは、スイッチが入れられた欠陥のあるスイッチおよびスイッチが切られた欠陥のあるスイッチ間を識別し、かつしたがって欠陥のタイプを決定することを可能にするが、電流センサのためのコストが考慮に入れらなければならない。代りに、スイッチ欠陥が生じるときには、電気モータを、スイッチが常に切られるようにすることができる。非常モードは、そのときには可能ではない。
【０００５】
ＤＥ  １１２００４００２６４２Ｔ５は、電気的な三相システム用のもっともらしさ（plausibility)チェックを開示している。欠陥を確実に確認するために、相電流が測定される。相電流間の混同を回避するために、電流のベクトルも観察される。したがって、比較的高価な電流センサが、上述の方法を実施するために要求される。
【発明の概要】
【０００６】
したがって、この発明は、電流センサを使用することなく、欠陥のタイプが迅速に、かつ低コストで決定されることを保証することの目的に基づいている。
【０００７】
この目的は、請求項１の特徴によって達成される。この場合、欠陥によって影響される巻線は、追跡（trace）され、さらに、スイッチにおける欠陥の性質は、電圧測定が欠陥のあるスイッチと関連する巻線において実行されている間に、欠陥のあるスイッチと関連しない巻線を駆動するために異なる電圧を使用することによって決定される。欠陥のタイプは、開放、または閉止されたスイッチ位置にブロック (block) されるスイッチである。
【０００８】
有利な開発は、従属クレームにおいて見つけることができる。
【０００９】
したがって、この発明による方法の１つの好ましい展開においては、欠陥のあるスイッチ（１３、１６）に関連している巻線（Ｕ）は、電圧測定用のユニット（Ｂ）に接続される。次のステップは、この発明による方法において、思い描かれる：
−  識別ユニットによる欠陥のあるスイッチの識別（identification）；
−  すべてのスイッチの開放；
−  異なる電圧を備えた、欠陥のあるスイッチと関連しない巻線を駆動すること、  
−  欠陥のあるスイッチと関連する巻線に印加される電圧の測定および評価。
【００１０】
この場合、思い描かれるのは、同様に欠陥のあるスイッチと関連しない他の巻線が、２／３＝６６％のデューティレシオを有してそれに、印加されるパルス幅変調された電圧を有する間に、欠陥のあるスイッチと関連しない巻線は、１／３＝３３％のデューティレシオを有して、それに印加されるパルス幅変調された電圧を有することである。
【００１１】
欠陥のあるスイッチと関連している巻線におけるパルス幅変調された電圧の測定結果が、３３％と６６％の間のデューティレシオを示す場合には、スイッチは、開放されたスイッチ位置において欠陥があると確認される。
【００１２】
さらに、このスイッチは、欠陥のあるスイッチと関連する巻線におけるパルス幅変調された電圧の測定結果が１００％のデューティレシオを示す場合には、正の電源電圧への接続によって閉じたスイッチ位置において欠陥があるとして識別される。
【００１３】
さらなる欠陥タイプの場合には、スイッチは、欠陥のあるスイッチに関連している巻線におけるパルス幅変調された電圧の測定結果が０％のデューティレシオを示す場合には、負の電源電圧への接続によって閉じたスイッチ位置において欠陥があるとして識別される。
【００１４】
この発明による方法の、１つの特に有利な開発においては、２本の他の巻線が駆動され、さらに、欠陥が追跡され、または、その中で複数のスイッチが、欠陥があり、複数の欠点が識別されるまで、上記方法ステップは、その後繰り返される。方法ステップは、このように、欠陥が追跡されるか、複数の欠点が識別されるまで、駆動されている異なる巻線によって、繰り返される。
【００１５】
この発明による方法のさらなる有利な開発は、欠陥のあるスイッチが、スイッチが入った状態でブロックされる状況における安定した熱的な過負荷によって、開放されることを提供する。代りに、欠陥のあるスイッチが、閉じたスイッチ位置においてブロックされる場合には、ヒューズが飛ぶ。その後、モータは、非常モードにおいて作動することができる。原則として、欠陥のあるスイッチが、スイッチが切られた状態である場合には、電気モータは、非常モードにおいて作動することができる。
【００１６】
この発明は、１つの代表的な実施例に関して、および添付図とともに以下のテキストに、より詳細に説明される：
【図面の簡単な説明】
【００１７】
【図１】この発明による方法を実行することができるブラシレス電気モータの巻線、およびインバータの概略のアウトライン図解を示す；
【図２】図１からの巻線の、および欠陥のあるスイッチがスイッチを切る第１の欠陥タイプＦ１の概略の図解を示し、；
【図３】図２に対応する図解を示し、正の電源電圧に対する接続で不完全にスイッチが入れられる第２の欠陥タイプＦ２を有する、
【図４】さらなる図解を示し、それは図２からの図解に相当し、負電源電圧に対する接続で不完全にスイッチが入れられる第３の欠陥タイプＦ３を有する、そして
【図５】この発明による方法のフローチャートを示す。
【発明を実施するための形態】
【００１８】
図１は、巻線Ｕ、Ｖ、Ｗが、インバータ２によって駆動されるブラシレス電気モータ１を、概略的に示す。この目的のために、インバータ２は、正の電源電圧と関連する図１における上部のスイッチ１１、１２、１３を有し、負の電源電圧と関連する図１におけるより下部のスイッチ１４、１５、１６を有する、６個のスイッチ１１、１２、１３、１４、１５、１６を有する。したがって、例として、スイッチ１１および１４は、巻線Ｖに適切な供給電圧を供給する。さらに図１から理解することができるように、スイッチ１１、１２、１３の間のタップポイント１７、１８、１９があり、これらは、正の電源電圧に関連し、さらに、スイッチ１４、１５、１６は、負の電源電圧に関連し、タップポイント１７、１８、１９で、巻線Ｕ、Ｖ、Ｗをまたぐ電圧は、切り離されて、電圧測定用のユニットＢに供給される。電圧測定用のユニットＢからの測定結果は、マイクロコントローラＣに供給され、それは、一方ではスイッチ１１、１２、１３、１４、１５、１６をコントロールし、他方では電圧測定ユニットＢによって産出された情報を評価する。さらに、識別ユニットＡは、欠陥のあるスイッチ１１、１２、１３、１４、１５、１６の識別のために提供される。識別ユニットＡによって産出された情報は、同様に、評価用に、マイクロコントローラＣに供給される。
【００１９】
１つの実施例においては、実際上、スイッチ１１、１２、１３、１４、１５、１６は、精密なトランジスタ、またはＭＯＳＦＥＴであるように半導体スイッチによって形成される。実際上、識別ユニットＡは、スイッチ１１、１２、１３、１４、１５、１６であって、それはトランジスタの形をしているものに、電圧を印加するブリッジドライバの形をしており、さらにトランジスタのスイッチ位置が変化しているかどうかをチェックする。タップポイント１７、１８、１９の電圧測定用のユニットＢは、実際上、分圧器の形をしており、パルス幅変調された電圧のデューティレシオを決定する。
【００２０】
この場合、このデューティレシオは、パルス持続期間および周期持続の比率に相当する。
【００２１】
原則として、それぞれのスイッチ１１、１２、１３、１４、１５、１６は、２つの異なるタイプの欠陥を有することができる。すなわち、欠陥の後、それは、原則としては、以下に記述された２つの状態のうちの１つにある：すなわち、不完全にスイッチが切られ、すなわち、開放スイッチ位置にブロックされ、または、不完全にスイッチが入れられ、すなわち、閉塞スイッチ位置にブロックされる。スイッチが入れられた欠陥のあるスイッチ１１、１２、１３、１４、１５、１６も、この技術において短絡として参照される。
【００２２】
特に、安全関連使用において、重要であることは、非常に迅速に欠陥を追跡すること、および、非常モードにおいて電気モータ１を作動することを継続し、直ちにそれのスイッチを切るために、どのタイプの欠陥が存在するかを決定することである。スイッチ１１、１２、１３、１４、１５、１６が「不完全にスイッチが入れられた」状態にある状況において、そのスイッチ１１、１２、１３、１４、１５、１６は、電気モータ１の非常時運転ができるようにするために、安定した熱的過負荷によって、開くことができる。代りに、欠陥のあるスイッチ１１、１２、１３、１４、１５、１６が、スイッチが入れられた状態でブロックされる場合には、ヒューズが飛ぶことができる。スイッチ１１、１２、１３、１４、１５、１６が、「スイッチが入れられていない」状態にある場合にのみ、非常時運転は可能であり、または、短絡が、スイッチが入れられた状態でブロックされるスイッチによって実行される。
【００２３】
図２は、スイッチ１３における欠陥Ｆ１を示している：スイッチ１３は、不完全にスイッチが切られており、すなわち、そのスイッチ１３は、開放スイッチ位置に閉鎖される。欠陥のあるスイッチ１３は、電気モータ１の巻線Ｕと関連している。すなわち、以下の手順は、今や、欠陥Ｆ１を追跡し、欠陥のタイプ、すなわち、不完全にスイッチが入れられ、または不完全にスイッチが切られるというタイプを決定するために使用される：すなわち、第一に、識別ユニットＡは、欠陥のあるスイッチ１１、１２、１３、１４、１５、１６を識別する。しかしながら、識別ユニットＡは、スイッチ１１、１２、１３、１４、１５、１６のどれが不完全であるか識別することができず、また、したがって、図５に関する以下の本文に、より詳細に説明されるように、以下の方法が、繰り返し実行される。
【００２４】
それから、第一に、スイッチ１１、１２、１３、１４、１５、１６に対する駆動は停止される。スイッチ１１、１２、１３、１４、１５、１６は、すべて開放され、そして、したがって、「スイッチが切られた」状態に変更される。この目的のために、マイクロコントローラＣは、識別ユニットＡからの情報を評価し、さらに、「スイッチが切られた」状態のために要求されるドライブ信号を生成する。マイクロコントローラＣは、欠陥のあるスイッチ１３に関連しない２つの巻線ＶおよびＷのためのスイッチ１１、１２、１４、１５を駆動する。この場合、巻線ＶおよびＷは、異なるデューティレシオを有するパルス幅変調された電圧で駆動される。図２において記述された状況において、巻線Ｗが、ＰＷＭ２＝２／３＝６６％のデューティレシオで駆動されている間に、巻線Ｖは、ＰＷＭ１＝１／３＝３３％のデューティレシオで駆動される。
【００２５】
ある量の時間は、その後、識別ユニットＡが、なお欠陥を識別するかどうかを判断するために経過（pass）することを許される。欠陥のあるスイッチ１１、１２、１３、１４、１５、１６が、駆動された巻線Ｖ、Ｗの１つと関連する状況において、識別ユニットＡは、もう１度欠陥を識別し、かつ駆動を終了する。このような状況において、上に記述された方法は、関連するスイッチ１１、１２、１３、１４、１５、１６が、不完全でない３つの巻線Ｕ、Ｖ、Ｗの巻線の全体の２つを見出すことを期待して駆動されている２つの異なる巻線Ｕ、Ｖ、Ｗによって、再び開始される。
【００２６】
電圧測定用のユニットＢは、その後、運転されていない巻線Ｕをまたいでパルス幅変調（pulse-width-modulated）された電圧のデューティレシオを測定し、さらに、マイクロコントローラＣは、この測定を評価する。巻線Ｕをまたいで決定された値が、ＰＷＭ１＝３３％とＰＷＭ２＝６６％との間の範囲にある場合には、そのときは、このことは、欠陥のあるスイッチ１３のスイッチが不完全に切られ、かつ、そのスイッチが駆動されていない巻線Ｕと関連することであると識別する。
【００２７】
図３は、概略的に、さらなる欠陥タイプを例証する：欠陥Ｆ２の場合には、スイッチ１３（二者択一で１１、または１２）のスイッチが、正の電源電圧に対する接続によって不完全に入れられる。そのスイッチ１３は、正の電源電圧と関連し、したがって、欠陥タイプＦ２の場合における閉じたスイッチ位置においてブロックされる。もう一度、スイッチ１１、１２、１３、１４、１５、１６をすべて開放した後、欠陥のあるスイッチ１３と関連しない２つの巻線ＶおよびＷが、駆動される。この巻線Ｗが、ＰＷＭ２＝６６％のデューティレシオを備えたパルス幅変調された電圧で駆動される間に、巻線Ｖは、ＰＷＭ１＝３３％のデューティレシオを備えたパルス幅変調された電圧で、もう一度駆動される。図３において記述された状況で、ユニットＢは、１００％のデューティレシオをもって巻線Ｕをまたいで電圧を測定する。このような測定結果は、したがって、正の電源電圧に対する接続によってスイッチを入れられた欠陥のあるスイッチ１３を識別し、それは、駆動されなかったその巻線Ｕと関連している。
【００２８】
第３の欠陥タイプＦ３は、図４において概略的に例証される。この欠陥タイプＦ３は、負の電源電圧に対する接続を具備する、スイッチが入れられた欠陥のあるスイッチ１６（二者択一で１４、または１５）である。このことは、スイッチ１６が、負の電源電圧に対する接続によって閉じられたスイッチ位置にブロックされることを意味する。もう一度、異なる電圧が、巻線Ｖに印加されているＰＷＭ１＝３３％のデューティレシオを備えたパルス幅変調された電圧によって、さらには、巻線Ｗに印加されているＰＷＭ２＝６６％のデューティレシオを備えたパルス幅変調された電圧によって、精密であるように、欠陥のあるスイッチ１６と関連しない２つの巻線Ｖ、Ｗに印加される。巻線Ｕについて、図１におけるタップ１９での電圧測定は、ＰＷＭmeas＝０％の測定結果を示す。換言すれば、ＰＷＭmeas＝０％の測定結果は、これが、駆動されていない巻線Ｕと関連している負の電源電圧に対する接続を備えたスイッチが入れられた欠陥のあるスイッチ１６に関係があるということを識別する。
【００２９】
既に言及されたように、当初は、欠陥のあるスイッチ１１、１２、１３、１４、１５、１６が関連する巻線Ｕ、Ｖ、Ｗがどれかが知られていないので、そして、結果として、欠陥のあるスイッチ１１、１２、１３、１４、１５、１６と関連しない２つの巻線Ｕ、Ｖ、Ｗを駆動することは、直接可能でないので、方法ステップが、繰り返される。したがって当初は、３つの巻線Ｕ、Ｖ、Ｗ、のうちの２つが駆動され、さらに、識別ユニットが、もう一度欠陥を識別する場合に、その方法は、その方法が再開されるときに駆動されている３つの巻線Ｕ、Ｖ、Ｗのうちの他の２つとともに終了する。この反復は、図５におけるフローチャートに関連して、より詳細に説明される。当初は、障害カウンタＺはゼロにセットされる。識別ユニットＡが欠陥を識別したときに、障害カウンタＺの値は、量「１」だけ増加される。図５において例証されたフローチャートは、識別ユニットＡが、スイッチ１１、１２、１３、１４、１５、１６のうちの１つにおける欠陥を識別したことを仮定する。その障害カウンタは、方法ステップ２１の１つの値だけ増加される：Ｚ＝Ｚ＋１。
【００３０】
方法ステップ２２において、スイッチ１１、１２、１３、１４、１５、１６は、すべて開放され、それにより、開放スイッチ位置にあることに帰着する。チェックは、その後、方法ステップ２３において実行され、さらに、区別は、障害カウンタＺの値に基づいて引き出される。現在の場合においては、障害カウンタの値は、Ｚ＝１であり、さらに、巻線Ｖは、それに印加されたＰＷＭ１＝３３％のデューティレシオを備えたパルス幅変調された電圧を有し、また、ＰＷＭ２＝６６％は、巻線Ｗ（方法ステップ２４）に印加される。巻線Ｕをまたぐ電圧は、後に測定される。方法ステップ２５は、識別ユニットＡが、なお、欠陥のあるスイッチ１１、１２、１３、１４、１５、１６を識別するかどうかをチェックする。これは、欠陥のあるスイッチ１１、１２、１３、１４、１５、１６が、駆動された巻線Ｖ、Ｗのうちの１つに関連しているということを示している。識別ユニットＡが欠陥を識別する場合には、その方法は終了し、さらに障害カウンタは、方法ステップ２１の１つの値だけ増加される。識別ユニットＡが欠陥を識別しない場合には、欠陥のあるスイッチ１３、１６は、駆動されていない巻線Ｕに関連している。方法ステップ２６において、巻線Ｕをまたぐ電圧ＰＷＭmeasが測定され、さらに、区別は、図２〜４において記述された状況間に引き出される：巻線ＵをまたいでＰＷＭmeas＝０％の電圧が測定される場合には、そのときに負の電源電圧に対する接続を備えたスイッチを入れられた欠陥のあるスイッチ１６が識別され（方法ステップ２７）、それは、巻線Ｕに関連している。このことは、欠陥Ｆ３に相当し、それは図４に関連して記述された。
【００３１】
対照的に、測定結果が、ＰＷＭmeas＝１００％である場合には、そのときは、方法ステップ２８は、スイッチが入れられた欠陥のあるスイッチ１３を、正の電源電圧に対する接続によって確認し、それは巻線Ｕに関連している。このことは、欠陥Ｆ２に相当し、それは図３に関連して記述された。両方の場合において、欠陥のあるスイッチ１３、１６は、それに安定して熱的に過負荷をかけることによって、開放することができ、または、それは例証されていないが、ヒューズを飛ばすことができる。電気モータは、その後、方法ステップ３０で提供されるように、非常モードにおいて作動される。
【００３２】
対照的に、測定結果、３３％＜ＰＷＭmeas＜６６％、すなわち、３３％と６６％との間の測定結果が、決定され、その後、その欠陥は、巻線Ｕと関連するスイッチが切られた欠陥のあるスイッチ１３、１６である。これは欠陥Ｆ１であり、それは図２に関連して記述された。既に言及されたように、電気モータ１は、この場合に非常モードにおいて作動することができる。
【００３３】
識別ユニットＡが、方法ステップ２５における欠陥を識別した場合に、そのとき、これは、駆動された巻線Ｖ、Ｗにおいて、スイッチ１１、１２、１４、１５に関係するに違いない。障害カウンタＺは、したがって、方法ステップ２１において１つの値だけ増加され、さらに、スイッチ１１、１２、１３、１４、１５、１６はすべて、方法ステップ２２において開放される。障害カウンタの値のチェックは、Ｚ＝２の値によって方法ステップ３１に導く。この方法ステップ３１において、ＰＷＭ１＝３３％のデューティレシオを備えたパルス幅変調された電圧は、巻線Ｕに印加され、さらに、ＰＷＭ２＝６６％のデューティレシオは、巻線Ｗに印加される。巻線Ｖをまたぐ電圧は、その後、測定される。方法ステップ３２は、識別ユニットＡが欠陥を識別したかどうかをチェックする。識別しなかった場合、巻線Ｖをまたぐ電圧は、方法ステップ３３において測定され、さらに、ＰＷＭmeas＝０％の測定結果の場合に、欠陥Ｆ３が識別され、すなわち、負の電源電圧に対する接続を備えたスイッチが入れられた欠陥のあるスイッチ１４、それが、巻線Ｖと関連する（方法ステップ３４）。方法ステップ３５の測定結果が、ＰＷＭmeas＝１００％である場合には、欠陥Ｆ２は、識別され、すなわち、正の電源電圧に対する接続を備えたスイッチが入れられた欠陥のあるスイッチ１１、それは、巻線Ｖと関連する。さらに、測定結果ＰＷＭmeasが、３３％と６６％との間である場合、欠陥Ｆ１は、識別され、すなわち、スイッチが切られた欠陥のあるスイッチ１１、１４、それは、巻線Ｖと関連する（方法ステップ３６）。どんな場合でも、電気モータ１の非常運転は、スイッチが入れられた欠陥のあるスイッチが開放された後だけ、まず第一に、言及された２つの状況において、ステップ３７において開始することができる。
【００３４】
さらなる欠陥が、方法ステップ３２において識別された場合に、その方法は、方法ステップ２１にジャンプし、さらに、値「１」だけ障害カウンタＺを増加する。識別ユニットＡが、スイッチ１２、１３、１５、１６の欠陥を識別するので、方法は、方法ステップ２１にジャンプし、スイッチは、駆動された巻線ＵおよびＷと関連する。したがって、障害カウンタの値は、今、Ｚ＝３であり、さらに、図５において例証されるように、方法が繰り返される。ただ一つの違いは、欠陥のあるスイッチ１２、１５が、今、巻線Ｗと関連するそのスイッチ１２および１５でなければならないので、他の巻線Ｕ、Ｖが駆動される間、その巻線Ｗが、電圧測定がまだ実行されていない３つの巻線Ｕ、Ｖ、Ｗの最後であるので、巻線Ｕおよび巻線Ｖが、今駆動されるということである。
【００３５】
識別ユニットＡが、さらにこの場合、スイッチ欠陥を識別する場合に、その後、複数の欠陥が存在し、そこでは複数のスイッチ１１、１２、１３、１４、１５、１６が、不完全である。方法は、方法ステップ２１にジャンプし、さらに、障害カウンタは、値「１」だけ増加される。障害カウンタの値は、したがって、Ｚ＝４である。障害カウンタＺのこの値は、複数のスイッチ１１、１２、１３、１４、１５、１６でなく、ただ１個のスイッチ１１、１２、１３、１４、１５、１６が不完全ではないということを示す。複数の欠陥が存在する場合に、電気モータ１は、スイッチが切られる。
【００３６】
記述した方法の利点は、欠陥Ｆ１、Ｆ２、Ｆ３の追跡および識別の後に、もしもスイッチ１１、１２、１３、１４、１５、１６のスイッチが、不完全に入れられなければ、要求されれば、モータ１の非常運転は開始することができるか、または、安定して熱的に過負荷をかけること、またはヒューズを飛ばすことによって、電気モータ１のスイッチを切ることができ、または、スイッチ１１、１２、１３、１４、１５、および１６における不完全にスイッチが入れられたスイッチの非作動化も開始することができる。このことは、さらに、欠陥のあるスイッチ１１、１２、１３、１４、１５、１６が、正の、または負の電源側と関連しているかどうかに関して情報を要求する。欠陥のあるスイッチ１１、１２、１３、１４、１５、１６のこの非作動化の後、電気モータ１の非常運転は、同様に開始することができる。
【００３７】
記述した方法は、欠陥のあるスイッチ１１、１２、１３、１４、１５、１６の追跡および識別のためのあらゆる電流センサの必要がないことによって、特に卓越しており、それによって、コストを縮小する。さらなる利点は、電気モータ１の非常運転が、欠陥の場合に可能であるということであり、それにより、電気モータ１の入手しやすさを増すことであり、それは電気機械の舵取りのような、安全かつ重大な用途において有利である。欠陥のあるスイッチ１１、１２、１３、１４、１５、１６は、比較的迅速に識別することができ、このように、１つの、安全かつ重大な用途において実行されるように充分に迅速な反応を可能にする。
【図１】
0005599821.tif 000002
【図２】
0005599821.tif 000003
【図３】
0005599821.tif 000004
【図４】
0005599821.tif 000005
【図５】
0005599821.tif 000006